(57)【特許請求の範囲】
【請求項１】
複数の筒状体単体を複数段に積み重ねて地下に埋設されるマンホール筒状体において、
前記マンホール筒状体の最上段の筒状体には、作業者出入用の第１孔部と、機材搬出入用の第２孔部とが設けられ、
前記第１孔部と前記第２孔部は、最上段の筒状体内の空間部で連通している
ことを特徴とするマンホール筒状体。
【請求項２】
複数の筒状体単体を複数段に積み重ねて地下に埋設されるマンホール筒状体において、
前記マンホール筒状体の最上段の筒状体に作業者出入用の第１孔部が設けられ、
前記最上段の筒状体以外の何れかの筒状体の側面から上方に延出させて機材搬出入用の第２孔部が設けられ、
前記第１孔部と前記第２孔部は、筒状体内の空間部で連通している
ことを特徴とするマンホール筒状体。
【発明の詳細な説明】
【技術分野】
【０００１】
本発明は、上下水道、電力通信用等の地下構造物として地下に埋設されるマンホール筒状体に関する。
【背景技術】
【０００２】
従来より、図５に示すように、地下に埋設された下水道管路１０３等の保守点検を行うために作業者がマンホール１０１内へ入る場合や、保守点検用の機材をマンホール内へ搬入する場合には、これらの作業は、マンホール筒状体の上部のマンホール開口部およびその上に設置された図示しないマンホール鉄蓋の開口部（以下、総称して「マンホール開口部１０２」という。）を介して行われている。
【０００３】
例えば、下水道管路１０３等の調査・診断を行う場合には、作業者はマンホール開口部１０２からマンホール１０１内に入るとともに、管路内調査用カメラ等の機材をマンホール開口部１０２から搬入している。また、下水道管路１０３内の洗浄を行う場合には、洗管ホース等の洗浄用具をマンホール開口部１０２から搬入している。
【０００４】
なお、マンホール１０１の設置環境により下水道管路１０３内に有毒ガス等が充満している危険性がある場合には、作業者は、酸素ボンベを背中に担いでマンホール開口部１０２からマンホール１０１内に入り酸素ボンベを利用しながら保守点検作業を行うか、または、作業開始前にマンホール開口部１０２からマンホール１０１内に換気用ダクトを挿入してマンホール１０１内を換気しながら保守点検作業を行っている。
このようにマンホール開口部１０２は、作業者の出入りや、各種保守点検用機材の搬入・搬出に利用されている（例えば特許文献１参照。）。
【０００５】
【特許文献１】特公平６−６３５９５号公報
【発明の開示】
【発明が解決しようとする課題】
【０００６】
しかしながら従来のマンホールでは、その内部においては有効内径約９００ｍｍの広さとなっているものの、マンホール開口部については、その有効内径を約６００ｍｍとしたものが一般的であり、管路内調査用カメラや洗管ホース、換気ダクト等の機材を搬入・搬出する場合や、洗管ホース、換気ダクト等の機材を地上からマンホール内に挿入した状態でマンホール内を作業者が昇降する場合に、作業者が昇降するのに十分なスペースを確保できずに不安定な体勢で昇降することになるため、作業者がマンホール内に転落する虞があり、非常に危険であるという問題があった。
【０００７】
本発明は、上記の問題点に鑑みてなされたものであり、作業者が下水道管路等の地下構造物の保守点検作業を安全かつ容易に行うことができるマンホール筒状体を提供することを目的とする。
【課題を解決するための手段】
【０００８】
上記の目的を達成するために、本発明のマンホール筒状体は、複数の筒状体単体を複数段に積み重ねて地下に埋設されるマンホール筒状体において、前記マンホール筒状体の最上段の筒状体には、作業者出入用の第１孔部と、機材搬出入用の第２孔部とが設けられ、前記第１孔部と前記第２孔部は、最上段の筒状体内の空間部で連通した構成とする。
【０００９】
このような構成とすることによって、作業者がマンホール内を昇降するのに十分なスペースを確保することができるために、作業者が安全かつ容易にマンホール内を昇降することが可能となる。
【００１０】
また、上記の目的を達成するために、本発明のマンホール筒状体は、複数の筒状体単体を複数段に積み重ねて地下に埋設されるマンホール筒状体において、前記マンホール筒状体の最上段の筒状体に作業者出入用の第１孔部が設けられ、前記最上段の筒状体以外の何れかの筒状体の側面から上方に延出させて機材搬出入用の第２孔部が設けられ、前記第１孔部と前記第２孔部は、筒状体内の空間部で連通した構成とする。
【００１１】
このような構成とすることによって、マンホール内への保守点検用の機材搬出入を最上段の筒状体以外の何れかの筒状体の側面から行うことにより作業者がマンホール内を昇降するのに十分なスペースを確保することができ、作業者が安全かつ容易にマンホール内を昇降することが可能となる。
【発明の効果】
【００１２】
以上説明したように、請求項１記載のマンホール筒状体によれば、作業者の出入りに使用する第１孔部と、保守点検用機材の搬出入に使用する第２孔部とを設け、両孔を使い分けることにより、作業者が安全かつ容易にマンホール内を昇降することが可能となる。
【００１３】
また、請求項２記載のマンホール筒状体によれば、第２孔部を最上段の筒状体以外の何れかの筒状体の側面から上方に延出させて設けることにより、作業者は最上段の筒状体上端の第１孔部を作業者出入用として使用することができ、作業者が安全かつ容易にマンホール内を昇降することが可能となる。
【発明を実施するための最良の形態】
【００１４】
また、前記第１孔部の有効内径は６００〜９００ｍｍとする。これにより、作業者が酸素ボンベを背負ってマンホール筒状体内を昇降する場合でも、酸素ボンベがマンホール筒状体の内面に接触することなく安全に昇降することが可能となる。
【００１５】
また、前記第２孔部の有効内径は３００〜６００ｍｍとする。これにより、管路内調査用カメラ、洗管ホースまたは換気用ダクト等の機材を搬出入するのに必要とされるスペースを確保することができる。
【００１６】
以下、本発明の実施例を図面を参酌しながら説明し、本発明の理解に供する。
【００１７】
図１は、本発明に係るマンホール筒状体の一例を示す説明図、図２は、図１における最上段の筒状体の平面説明図、図３は、図１における最上段の筒状体の断面説明図である。
【００１８】
図１に示すとおり本発明に係るマンホール筒状体２は、地下に埋設される下水道管路１等に最下段の筒状体３Ａが連通されており、その最下段の筒状体３Ａの上に中段の筒状体３Ｂが２個接続され、さらにその上に最上段の筒状体３が接続される。
【００１９】
この最上段の筒状体３の上端には、作業者の出入りに使用する第１孔部４と、保守点検用機材の搬出入に使用する第２孔部５とが形成される。
【００２０】
ここで、一般的なマンホールの場合、その上端の標準的な有効内径は約６００ｍｍとなっているが、維持管理作業を行う立場から考えると、出入口として非常に狭く、特に換気のためのダクトを一緒に通すと作業員の出入りが困難となる。このことから本実施例では作業者が酸素ボンベを装着した状態でのマンホールの出入りを考慮して第１孔部４の有効内径を７５０ｍｍとした。
【００２１】
また、第２孔部５は、最上段の筒状体３の外周に形成され、最上段の筒状体３内と連通状に分岐させて張り出した構造とし、保守点検用機材の搬出入を考慮して開口部の有効内径を３００ｍｍとした。
【００２２】
最上段の筒状体３の上面にはインサートナット６を取り付け、マンホール鉄蓋（図示せず。）とボルト緊結可能な構造とした。さらに、第１孔部４側のマンホール筒状体２内壁面には、昇降用のステップ７を設けている。
【００２３】
なお、最上段の筒状体３の上にマンホール鉄蓋を設置する際には、最上段の筒状体３の上面とマンホール鉄蓋３の下面との間の基礎調整部に無収縮モルタル施工を実施する。
【００２４】
次に、本実施例のマンホール筒状体の使用形態について説明する。
【００２５】
図４に示すように、地下に埋設された下水道管路１等の保守点検を行う場合には、管路内調査用カメラ等の機材を最上段の筒状体３の第２孔部５からマンホール筒状体２を介して下水道管路１内へ搬入すると共に、作業者Ｂは第１孔部４からマンホール筒状体２内へ入る。
【００２６】
さらに、下水道管路１内の洗浄を行う場合には、洗管ホース等の洗浄用具Ａを、または下水道管路１内に有毒ガス等が充満している危険性がある場合には、換気用ダクト等の機材Ａを第２孔部５から挿入して下水道管路１内の洗浄、あるいは換気を行う。
【００２７】
なお、本実施例では、最上段の筒状体の上端に、作業者の出入りに使用する第１孔部と、保守点検用機材の搬出入に使用する第２孔部とを形成したが、第２孔部は、最上段の筒状体の側面または最上段の筒状体以外の何れかの筒状体の側面から上方に延出させて機材搬出入用の第２孔部を設けてもよい。
【００２８】
以上のように本発明のマンホール筒状体は、管路内調査用カメラ、洗管ホースまたは換気用ダクト等の機材Ａを最上段の筒状体３の第２孔部５から搬入することにより作業者Ｂは第１孔部４を出入りのみに使用することができるために、作業者Ｂがマンホール筒状体２内を昇降するのに十分なスペースを確保することができ、作業者Ｂが安全かつ容易にマンホール筒状体２内を昇降することができる。
【００２９】
また、最上段の筒状体３の第１孔部４の有効内径を６００〜９００ｍｍとすることにより、例えば作業者Ｂが酸素ボンベ（図示せず。）を担いでマンホール筒状体２内に入り保守点検作業を行う場合でも、酸素ボンベが第１孔部４の開口縁に接触することなく安全に昇降すことができる。
【００３０】
なお、作業者Ｂがマンホール筒状体２内から地上に出る際に、地上面の第１孔部４の開口縁上方の地上面を跨ぐように両腕を広げて転落を防止する体勢をとることが可能となり、安全にマンホール筒状体２から出ることができる。
【００３１】
また、有毒ガスの発生等によりマンホール筒状体２内で作業者Bが負傷し自力で脱出できない場合には、救助員（図示せず。）が作業者Bを担いだ状態でマンホール筒状体２の第１孔部４から出ることができる。
【００３２】
また、最上段の筒状体３の第２孔部５の有効内径を３００ｍｍ〜６００ｍｍとすることにより管路内調査用カメラ、洗管ホースまたは換気用ダクト等を搬出入するのに十分なスペースを確保することができる。
【図面の簡単な説明】
【００３３】
【図１】本発明に係るマンホール筒状体の一実施例を示す説明図である。
【図２】図１における最上段の筒状体の平面説明図である。
【図３】図１における最上段の筒状体の断面説明図である。
【図４】本発明に係るマンホール筒状体の使用例を示す説明図である。
【図５】従来のマンホールの一例を示す説明図である。
【符号の説明】
【００３４】
１    下水道管路
２    マンホール筒状体
３、３A、３B    筒状体
４    第１孔部
５    第２孔部
６    インサートナット
７    ステップ
【図１】
0004551829.tif 000002
【図２】
0004551829.tif 000003
【図３】
0004551829.tif 000004
【図４】
0004551829.tif 000005
【図５】
0004551829.tif 000006